(57)【要約】【課題】    床面または天井など上向き又は下向きの施工をする時の作業性を向上させるものであって、回転プレートと本体ボルトを自由状態の姿勢が互いに直交状態となるようにした取付け金具を提供すること。【解決手段】    取付け金具は、本体ボルト１と回転プレート２を連結ピン３によって回転自在に結合すると共に該連結ピン３にバネ４を装着する。本体ボルト１と回転プレート２は自由状態の時に互いに直交方向になる。施工は、回転プレート２と本体ボルト１を直線状にして基板の透孔内に挿入し、基板の反対側で回転プレート２を元の直交状態にして施工完了となる。【選択図】    図１
2005061490.tif 000002
【特許請求の範囲】
【請求項１】
本体ボルト（１）と回転プレート（２）を連結ピン（３）によって回転自在に結合すると共に、該連結ピンにバネ（４）を装着し、該バネの付勢力により上記本体ボルトと上記回転プレートが自由状態の時に互いに直交状態を呈するようにしたことを特徴とする中空構造物用取付け金具。
【請求項２】
バネ（４）が、一方の先端を回転プレート（２）の裏面に係止し、他方の先端を本体ボルト（１）の角軸部に開けた貫通孔に挿通したことを特徴とする請求項１に記載の中空構造物用取付け金具。
【発明の詳細な説明】
【技術分野】
【０００１】
本発明は、中空構造物用取付け金具に関しており、さらに詳しくは、壁または天井などの中空構造物で内側に手が入らない構造であっても物を取り付けることができる取付け金具に関している。
【背景技術】
【０００２】
壁などの中空構造物で内側に手が入らない構造物に物を取り付けるための取付け金具は知られており、例えば、下記の２つの特許文献がある。
【特許文献１】特開平１１−４４３１１号公開特許公報
【特許文献２】実公平３−１４５７３号実用新案公報
【０００３】
特許文献１に記載の金具は、ボルト本体１と係止羽根２が軸止部材３により回動自在に係合されたものであり、軸止部材３を挿通させる係止羽根２の係止羽根取付穴２ｂの位置を、係止羽根２の中央を避け、係止羽根２を不均等に分ける位置に設けている。また、係止羽根２に回転止突起２ａを設け、ボルト本体１との供回りを防止している。
上記の取付け金具を、図４に示すように、ボルト本体１と係止羽根２が直線状態（Ｉ字状）になるよう指で押さえて壁等に穿設した孔に挿入し、係止羽根２が上記孔内を通過し反対側の中空部に達すると、係止羽根２が自重により回動し、図５に示すように、ボルト本体１と係止羽根２は直交状態（Ｔ字状）になる。次いで、取付物６を取り付けた後、ナットを締め付け施工完了となるものである。
【０００４】
特許文献１の金具は、係止羽根２を、係止羽根取付穴２ｂの位置を調整することにより自重で回動させているため、壁などの横向きの施工には適しているが、床面または天井など上向き又は下向き方向に施工する場合、係止羽根２が簡単に回動しないので、施工に手間取り作業性に欠けるといった問題があった。
【０００５】
一方、特許文献２に記載の金具は、ボルト主体１と係止片３及び圧縮コイルバネ６の３つの部材から構成されており、係紙片３には長手方向の一方の端縁に重り作用をさせる突起３３が設けられ、また、圧縮コイルバネ６の一端をボルト主体１に固定し、他端を大径部に形成し、ボルト主体１の端部を圧縮コイルバネ６から突出させたものである。
上記の取付け金具を、図５に記載の施工手順で施工すると、係止片３は、壁を通過後にボルト主体１の挿入が停止すると自重により突起３３が下向きになるように回動し、ボルト主体１と係止片３は直交状態（Ｔ字状）になる。また、ボルト主体１は圧縮コイルバネ６により絶えず壁から突出する方向に付勢されているため、仮に、ボルト主体１に被取付物２３その他が触れた場合でもボルト主体１が下穴内に戻ることがなく、取り付け作業がし易いものとなっている。
【０００６】
特許文献２の金具は、係止片３を、長手方向の一方の端縁に重り作用をさせる突起３３を設けることで自重による回動をさせているため、特許文献１と同様に、床面または天井など上向き又は下向きの施工をする時に係止片３が容易に回動しないので、この場合も作業性に難点があった。
【発明の開示】
【発明が解決しようとする課題】
【０００７】
解決しようとする課題は、床面または天井など上向き又は下向きの施工をする時の作業性を向上させることであって、本発明は、回転プレートと本体ボルトを自由状態の姿勢が互いに直交状態となるようにした取付け金具を提供することである。
【課題を解決するための手段】
【０００８】
解決手段の第１は、本体ボルトと回転プレートを連結ピンによって回転自在に結合すると共に、該連結ピンにバネを装着し、該バネの付勢力により上記本体ボルトと上記回転プレートが自由状態の時に互いに直交状態を呈するようにしたことを特徴とする。
解決手段の第２は、バネが、一方の先端を回転プレートの裏面に係止し、他方の先端を本体ボルトの角軸部に開けた貫通孔に挿通したことを特徴とする。
【発明の効果】
【０００９】
本発明の取付け金具は、回転プレートと本体ボルトとの連結部にバネを装着したものであるから、施工する向きが横向き（壁面）だけでなく、上向き（天井面）や下向き（床面）であっても、バネの復元力により強制的に回転プレートを回転させ、確実に施工完了に至らせることができ作業性を大きく向上させることができる。
【発明を実施するための最良の形態】
【００１０】
取付け金具は、本体ボルト１と回転プレート２を連結ピン３によって回転自在に結合すると共に、該連結ピン３にバネ４を装着して、本体ボルト１と回転プレート２を自由状態の時に正面視で直交状態を呈するようにしたものである。
【実施例１】
【００１１】
図１において、上記本体ボルト１は、ネジ部１１と円柱の側部を平行に削除して形成した角軸部１２とからなる。また、上記回転プレート２は、断面コ字状に形成したプレート板２１の天板２２に長孔２３を設け、上記本体ボルト１の角軸部１２をプレート板２１のコ字状の内側から挿入して上記長孔２３から僅かに突出し、該プレート板２１と角軸部１２を上記連結ピン３によって回転自在に結合している。
【００１２】
また、連結ピン３に装着するバネ４は、角軸部１２とプレート板２１の裏側に係止して当該プレート板２１を正面視で時計方向に回転するように付勢している。
【００１３】
次に、図２により、取付け金具の施工手順を説明する。５は取付け金具を取り付ける基板であり、金具取り付けのための透孔６を形成している。なお、図において、基板５は中空構造物であり、下方に作業員がいるが、上方には手が入らない構造になっている。
【００１４】
図２ａは施工前であり、取付け金具は、本体ボルト１と回転プレート２が自由状態にあり正面視で直交状態を呈している。次いで、図２ｂに示すように、回転プレート２をバネ４の弾力に抗して反時計方向に回転して当該回転プレート２と本体ボルト１を正面視で直線状態にして透孔６内に挿入する。回転プレート２が透孔６を通過し、図２ｃに示すように基板５の上方に達すると、回転プレート２は基板５の上方でバネ４の復元力によって時計方向に回転し、再び本体ボルト１と回転プレート２が正面視で直交状態となる。
【００１５】
本体ボルト１を下方に引っ張ると、回転プレート２は基板５の上方に係合して抜け出なくなるので、ここで、図２ｄに示すように、基板５に被取付け物７を取り付け、ネジ部１１にナット１３を締め付けて施工完了とする。
【実施例２】
【００１６】
図３は第２実施例を示している。実施例１において、回転プレート２１を正面視で時計方向に付勢するバネ４は、一端を回転プレート２１の裏面に係止し、他端を角軸部１２に係止している。回転プレート２１の裏面に係止されたバネ４の先端は、回転プレート２１が断面コ字状を呈しているので作動中に外れたりしないが、もう一方の先端は角軸部１２に引っ掛けているだけなので、外れることが皆無とは言えない。
【００１７】
第２実施例は、角軸部１２に係止させるバネ４の先端を、該角軸部１２に開けた貫通孔１４に通しているので、第１実施例に比べてバネ４が外れ難くなっている。
【産業上の利用可能性】
【００１８】
本発明は、取付け金具を施工する基板が上向き又は下向きであっても容易に施工できるので、利用範囲が格段に広くなる。
【図面の簡単な説明】
【００１９】
【図１】本発明の取付け金具を示しており、ａは平面図、ｂは正面図、ｃは断面図、ｄは側面図。
【図２】取付け金具の施工手順を示す説明図。
【図３】取付け金具の第２実施例を示しており、ａは正面図、ｂは正面図、ｃは断面図、ｄは側面図。
【符号の説明】
【００２０】
１  本体ボルト
１１  ネジ部
１２  角軸部
１３  ナット
１４  貫通孔
２  回転プレート
２１  プレート板
２２  天板
２３  長孔
３  連結ピン
４  バネ
５  基板
６  透孔
７  被取付け物
【図１】
2005061490.tif 000003
【図２】
2005061490.tif 000004
【図３】
2005061490.tif 000005